(57)【要約】マルチモードトランシーバを操作する方法が、同時に、比較的広い出力周波数スペクトルを有する信号を送信し（Ｔｘ）、かつ出力周波数スペクトルよりも狭く、しかし同じ帯域内にある周波数スペクトルを有する信号を受信する（Ｒｘ）ことを含む。フィルタ（１８、１９、２０）によって、送信信号の出力スペクトル内に、受信信号に対応する位置で、ノッチが導入される。ノッチは、トランシーバの少なくとも１つの動作特性に応じて適合される。ノッチ深さおよび帯域幅は、受信および送信信号強度、受信および送信信号の相対周波数変位、ならびにノッチによる送信信号品質の劣化を許容することができる程度の関数とすることができる。さらに、マルチモードトランシーバ内で、例えば送信周波数スペクトルの中心、または受信信号スペクトルの中心周波数にある送信周波数スペクトルの部分を使用して、適合相殺（３４）を行うことができる。
2006526911.tif 000002
【特許請求の範囲】
【請求項１】
同時に、比較的広い出力周波数スペクトルを有する信号を送信し、かつ前記出力周波数スペクトルよりも狭く、しかし前記送信信号の帯域内にある周波数スペクトルを有する信号を受信すること、前記受信信号の受信を向上するために、前記送信信号の前記出力スペクトル内に少なくとも１つのノッチを導入すること、および前記トランシーバの少なくとも１つの動作特性に応じて、前記ノッチの少なくとも１つのパラメータを適合させることを含む、マルチモードトランシーバを操作する方法。
【請求項２】
前記少なくとも１つの特性が、前記送信および受信信号強度の関数であることを特徴とする請求項１に記載の方法。
【請求項３】
前記少なくとも１つの特性が、前記ノッチによる前記送信信号品質の劣化が許容される程度であることを特徴とする請求項１に記載の方法。
【請求項４】
前記少なくとも１つの特性が、前記送信および受信信号の相対周波数変位の関数であることを特徴とする請求項１に記載の方法。
【請求項５】
前記少なくとも１つのノッチが、前記受信信号の中心にあることを特徴とする請求項１から４のいずれか一項に記載の方法。
【請求項６】
前記少なくとも１つのノッチが、最大パワーを有する前記送信周波数スペクトル内の点にあることを特徴とする請求項１から４のいずれか一項に記載の方法。
【請求項７】
前記少なくとも１つのノッチが、前記受信信号の周波数ホッピングを追跡することを特徴とする請求項１から５のいずれか一項に記載の方法。
【請求項８】
前記ノッチの深さが、前記送信機周波数スペクトルの中心よりも、前記送信機周波数スペクトルの縁部で大きいことを特徴とする請求項１から７のいずれか一項に記載の方法。
【請求項９】
重畳する受信信号から、前記送信信号の中心周波数を相殺することを特徴とする請求項１から８のいずれか一項に記載の方法。
【請求項１０】
前記受信信号の中心周波数で前記送信信号を相殺することを特徴とする請求項１から８のいずれか一項に記載の方法。
【請求項１１】
前記少なくとも１つのノッチが、送信すべき信号の帯域幅の一部分を選択的に減衰することによって作成されることを特徴とする請求項１から１０のいずれか一項に記載の方法。
【請求項１２】
比較的狭い周波数スペクトルを有する信号を受信するための受信機と、前記受信される周波数スペクトルの前記周波数スペクトルよりも広い出力周波数スペクトルを有する信号を送信するための送信機とを備え、前記狭い周波数スペクトルと前記出力周波数スペクトルとが同じ帯域内にあり、さらに、前記受信信号の受信を向上させるために、前記送信信号の前記出力スペクトル内に少なくとも１つのノッチを導入するための手段と、前記トランシーバの少なくとも１つの動作特性に応じて、前記少なくとも１つのノッチの少なくとも１つのパラメータを適合させるための適合手段とを備えるマルチモードトランシーバ。
【請求項１３】
適合手段が、前記送信および受信信号強度の関数に応じて前記ノッチを適合させることを特徴とする請求項１２に記載のトランシーバ。
【請求項１４】
適合手段が、前記ノッチによる前記送信信号品質の劣化が許容される程度に応じて前記ノッチを適合させることを特徴とする請求項１２に記載のトランシーバ。
【請求項１５】
適合手段が、前記送信信号と受信信号との相対周波数変位の関数に応じて前記ノッチを適合させることを特徴とする請求項１２に記載のトランシーバ。
【請求項１６】
前記少なくとも１つのノッチを導入するための前記手段が、前記受信信号の中心に前記少なくとも１つのノッチを位置決めするように適合されていることを特徴とする請求項１２から１５のいずれか一項に記載のトランシーバ。
【請求項１７】
前記少なくとも１つのノッチを導入するための前記手段が、最大パワーを有する前記送信周波数スペクトルの点に前記少なくとも１つのノッチを位置決めするように適合されていることを特徴とする請求項１２から１５のいずれか一項に記載のトランシーバ。
【請求項１８】
前記少なくとも１つのノッチに、前記受信信号の周波数ホッピングを追跡させるための制御手段を特徴とする請求項１２または１６に記載のトランシーバ。
【請求項１９】
前記適合手段が、前記ノッチの深さを、前記送信機スペクトルの中心よりも前記送信機周波数スペクトルの縁部で大きくすることを特徴とする請求項１２から１８のいずれか一項に記載のトランシーバ。
【請求項２０】
重畳する受信信号から前記送信信号の中心周波数を相殺するための相殺手段を特徴とする請求項１２から１９のいずれか一項に記載のトランシーバ。
【請求項２１】
前記受信信号の中心周波数で前記送信信号を相殺するための相殺手段を特徴とする請求項１２から１９のいずれか一項に記載のトランシーバ。
【請求項２２】
複数のタップを有するデジタル・フィルタ手段と、送信すべき信号の帯域幅の一部分に前記少なくとも１つのノッチを作成するために、前記複数のタップの少なくとも１つを選択的に減衰するための手段とを特徴とする請求項１０から１７のいずれか一項に記載のトランシーバ。
【発明の詳細な説明】
【技術分野】
【０００１】
本発明は、マルチモードトランシーバでの信号の同時送信および受信に関する。特に、本発明は、同時に送信される広帯域信号の帯域内にある狭帯域信号を受信することに関する。いくつかの動作条件では、受信される狭帯域信号スペクトルが、送信信号のスペクトル内にある。
【背景技術】
【０００２】
無線通信で良く知られている問題は、受信機が、受信機内に結合されている近傍の送信機からの強い送信を受信することである。通常、送信信号と受信信号とを周波数または時間で分離するように構成される。しかし、デュアル・モードトランシーバでは、同時受信および送信が必要とされる場合があるので、そのような分離をするように構成することが可能でない場合がある。
【０００３】
デュアル・モードトランシーバでの同時受信および送信を実現するために、受信機内に結合する送信信号が相殺されなければならない。これは、チャネル帯域幅が異なる場合にのみ行うことができる。相殺の要件は厳しく、強い受信信号に関してしか働かない場合がある。これは、受信機のアンテナ内に結合する送信信号が、狭帯域受信信号よりもはるかに高く、かつ振幅、位相、および遅延を連続的に変えるからである。相殺機構は、この変化する干渉信号を継続的に推定して、相殺しなければならず、２つのシステムの周波数変位によっては、広い帯域幅にわたって働かなければならない。
【０００４】
米国特許明細書第６１１５３６８号が、複数のユーザ間で、複数のパーソナル通信ネットワーク（ＰＣＮ）ユニットにデータおよび／またはデジタル化された音声を通信するためのスペクトル拡散ＣＤＭＡ通信システムを開示する。ＣＤＭＡシステムが、ＣＤＭＡシステムの帯域幅内にある狭帯域チャネルで動作する既存のマイクロ波システムによって占有されるのと同じ地理的領域内で動作できるようにするために、ＰＣＮ基地局の送信機セクションは、基地局から送信されるパワー・スペクトル内に１つまたは複数のノッチを挿入する調節可能なノッチ・フィルタを有する。ノッチ・フィルタは、固定サービス・マイクロ波チャネルの何らかの望ましい周波数および帯域幅でＰＣＮ送信機からのパワー・スペクトルにノッチを設けるように設定された中心周波数および帯域幅を有する。基地局が、基地局の地理的領域にわたって送信する各固定サービス・マイクロ波ユーザの周波数および帯域幅を用いてプログラムされる場合、基地局は、調節可能なノッチ・フィルタを用いてスペクトルのどの部分にノッチ形成するかを示すコマンド信号をＰＣＮユニットに送ることができる。代替または追加の実施形態では、基地局および／またはＰＣＮユニットが、１つまたは複数の固定サービス・マイクロ波チャネルのマイクロ波パワーまたはエネルギーを検出するセンサを有する。センサは、固定サービス・マイクロ波チャネルの中心周波数および帯域幅を求め、次いで制御装置が、スペクトル拡散処理されたデータをそれらの周波数および帯域幅でノッチ形成するように、調節可能なノッチ・フィルタを調節する。この引用されたシステムは、調節可能なノッチ・フィルタを使用して、ＣＤＭＡシステムによる干渉から固定サービス・マイクロ波システムを保護する。しかし、基地局による同時の広帯域送信から基地局向けの狭帯域送信を保護することは、考慮されていない。
【０００５】
同時送信および受信の問題は、例えばＩＥＥＥ８０２．１１ｂ規格およびＢｌｕｅｔｏｏｔｈ（商標）に従って動作するマルチモードトランシーバで生じることがあり、ＩＥＥＥ８０２．１１ｂ規格とＢｌｕｅｔｏｏｔｈ（商標）とはどちらも、ＩＳＭ（産業、科学、および医療）帯域で動作する。Ｂｌｕｅｔｏｏｔｈ（商標）送信は、ＩＥＥＥ８０２．１１ｂシステムの帯域内にある、周波数ホッピングされた狭帯域送信である。
【発明の開示】
【発明が解決しようとする課題】
【０００６】
本発明の目的は、マルチモードトランシーバを使用して信号を同時に受信および送信するときに、受信信号を保護することである。
【課題を解決するための手段】
【０００７】
本発明の一態様によれば、同時に、比較的広い出力周波数スペクトルを有する信号を送信し、かつ出力周波数スペクトルよりも狭く、しかし送信信号の帯域内にある周波数スペクトルを有する信号を受信すること、受信信号の受信を向上するために、送信信号の出力スペクトル内に少なくとも１つのノッチを導入すること、およびトランシーバの少なくとも１つの動作特性に応じて、ノッチの少なくとも１つのパラメータを適合させることを含む、マルチモードトランシーバを操作する方法が提供される。
【０００８】
本発明の第２の態様によれば、比較的狭い周波数スペクトルを有する信号を受信するための受信機と、受信される周波数スペクトルの周波数スペクトルよりも広い出力周波数スペクトルを有する信号を送信するための送信機とを備え、狭い周波数スペクトルと出力周波数スペクトルとが同じ帯域内にあり、さらに、受信信号の受信を向上させるために、送信信号の出力スペクトル内に少なくとも１つのノッチを導入するための手段と、トランシーバの少なくとも１つの動作特性に応じて、少なくとも１つのノッチの少なくとも１つのパラメータを適合させるための適合手段とを備えるマルチモードトランシーバが提供される。
【０００９】
本発明によって、同じトランシーバが、狭帯域受信信号を保護し、その一方でそれと同時に広帯域信号を送信し、ノッチの存在による広帯域信号の劣化は低減されている。ノッチのサイズは、狭帯域信号の周波数および帯域幅に適するように動的に変えることができ、それにより送信信号の損失の度合いを最適化することができる。ノッチ深さおよび帯域幅は、受信および送信信号強度、受信信号と送信信号との相対周波数変位、およびノッチによる送信信号品質の劣化を許容することができる程度に応じて適合させることができる。さらに、マルチモードトランシーバは、例えば送信信号の中心周波数、および／または受信信号の中心周波数での送信信号の重畳部分を使用して、受信信号での適合相殺を行うことができるようにする場合がある。
【００１０】
以下、本発明を、添付の図面を参照しながら例として説明する。
【発明を実施するための最良の形態】
【００１１】
図面中、同じ参照番号は、類似の機能を示すために使用されている。
【００１２】
図１〜３を参照すると、例示されている構成可能なマルチモードトランシーバは、デュアルＩＥＥＥ８０２．１１ｂおよびＢｌｕｅｔｏｏｔｈ（商標）トランシーバである。しかし、本発明の理解を容易にするために、Ｂｌｕｅｔｏｏｔｈ（商標）受信機およびＩＥＥＥ８０２．１１ｂ送信機のみを示してあるが、相補的なＢｌｕｅｔｏｏｔｈ（商標）送信機およびＩＥＥＥ８０２．１１ｂ受信機がトランシーバの一部であることを理解されたい。どちらの動作規格もＩＳＭ帯域を使用し、しかしＩＥＥＥ８０２．１１ｂは、広い周波数スペクトル１０（図２）を必要とし、一方、Ｂｌｕｅｔｏｏｔｈ（商標）は、スペクトル１０内にあり、周波数ホッピングされた狭帯域スペクトル１２（図３）を有する。トランシーバは、送信ブランチＴｘと、受信ブランチＲｘとを備える。
【００１３】
送信ブランチＴｘは、ＩＥＥＥ８０２．１１ｂ規格に従って送信されるビットのための入力１４を備える。入力１４は、変調器１６に結合され、変調器１６は、高速フーリエ変換（ＦＦＴ）フィルタ１８に結合された出力を有する。高速フーリエ逆変換（ＦＦＴ−１）フィルタ２０が、ＦＦＴ１８の出力に結合される。低域フィルタ２２が、ＦＦＴ−１１８の出力に結合される。低域フィルタ２２からの信号は、ミキサ２４で周波数をアップコンバートされ、また、ミキサ２４は、ブロック２６として示される周波数シンセサイザに結合される。送信機アンテナ２８が、ミキサ２４の出力に結合される。
【００１４】
受信ブランチＲｘは、周波数相殺回路３２を経由して結合されたアンテナ３０を備え、周波数相殺回路３２に、適応周波数相殺ステージ３４が接続される。回路３２の出力が、低雑音増幅器（ＬＮＡ）３６を経由して別のミキサ３８に結合され、このミキサ３８において、受信された信号は、周波数シンセサイザ・ブロック２６から導出された局所発振器信号を使用して周波数をダウンコンバートされる。低域フィルタ４０が、所望のミキシング生成物を選択し、それらを、信号監視ステージ４２を経由して復調器ステージ４４に供給する。受信されたビットに関する復調器ステージ４４の出力は、出力端子４６に結合される。制御装置４８が、トランシーバの動作を制御する。制御装置は、適応相殺ステージ３６、監視ステージ４２、およびフィルタ適応ステージ５０に結合されたポートを有する。フィルタ適応ステージ５０は、フィルタ減衰ステージ１９を制御する。
【００１５】
アンテナ２８と３０は、それらのアンテナ間の結合の最小値が存在するように、適切な距離だけ離隔され、直交偏波される。結合は、ある所定のレベル未満に保たれて、ＬＮＡ３６が送信信号によって飽和されないことを保証し、それにより、受信周波数で送信信号を相殺するための任意の他のスキームを妨げないようにする。代替の非例示の構成では、送信および受信アンテナを、非重畳放射パターンを得るように、別個の接続点を有するパッチ・アンテナとして実装することができる。
【００１６】
トランシーバは、同時に、ＩＥＥＥ８０２．１１ｂ規格に従って広帯域信号を送信し、かつＢｌｕｅｔｏｏｔｈ（商標）規格に準拠する狭帯域信号を受信することができ、さらに、上で言及した不図示のＢｌｕｅｔｏｏｔｈ（商標）送信機とＩＥＥＥ８０２．１１ｂ受信機とを使用して逆のことを行うことができる。しかし、同じ周波数帯域での同時送信および受信に関わる認識される問題は、特に、受信信号が送信信号の周波数スペクトル内に入る場合に、送信信号の一部分５２が、受信機Ｒｘ内に結合され、受信信号に干渉することである。干渉する信号は、振幅、位相、および遅延が連続的に変化する。
【００１７】
この問題を克服するために、本発明によるトランシーバは、送信信号の周波数スペクトル内に適切な深さおよび帯域幅の適応ノッチ５４（図２）を挿入し、ノッチの位置は、狭帯域受信信号１２の周波数帯域に対応する。制御装置４８は、監視ステージ４２によって求められる送信および受信信号の特性に応じて、適応ノッチ５４の深さおよび帯域幅を決定する。これらの特性は、以下の関数の１つまたは複数を含む。（ａ）受信および送信信号強度、（ｂ）受信信号と送信信号の相対周波数変位、および（ｃ）ノッチによる送信信号品質の劣化を許容することができる程度（例えば、深いノッチは、ＩＥＥＥ８０２．１１ｂにおけるエラーベクトル振幅（ＥＶＭ）を低下させる）。ノッチは、いずれかのシステムが周波数ホッピングしている場合でさえ、受信信号と送信信号とが周波数と時間との両方で重畳する時を考慮するように適合される。ノッチの深さは、狭帯域受信機によって受信される送信広帯域信号の同一チャネル干渉を直接低減する。
【００１８】
図１に示される本発明の実施形態では、ノッチ５４の１つの可能な実装は、送信される信号の振幅が、狭帯域信号に対応する周波数帯域にわたって低減されており、この実装は、信号のＦＦＴの１つまたは複数のタップの値を減じることによるものである。これは、制御装置４８が、どのタップが減じられるべきかを決定し、それに応じてフィルタ適応ステージ５０に命令することによって行われる。フィルタ適応ステージ５０は、フィルタ減衰ステージ１９を制御し、フィルタ減衰ステージ１９が、選択されたフィルタ・タップに作用する。この実装は、ノッチ深さの正確な制御を可能にし、かつＩＥＥＥ８０２．１１での使用に簡単に実装することができるという利点を有する。トランシーバの非例示の実施形態では、ＦＦＴ１８およびＦＦＴ−１２０が、可変中心周波数および帯域幅を有するノッチ・フィルタによって置き換えられ、このノッチ・フィルタは、実装時にアナログまたはデジタルでアクティブにすることができる。
【００１９】
図２および３は、ノッチが送信帯域のほぼ中心周波数に設けられ、比較的大きな深さである位置５４’から、ノッチ５４によって示されるように、中心周波数からオフセットされ、より小さな深さを有する位置まで、ノッチの深さが変化することができることを例示する。
【００２０】
本発明による方法、すなわち、例えば送信周波数の中心にあるノッチ（図２および３におけるノッチ５４’）、および／または受信周波数の中心にあるノッチ（図２および３におけるノッチ５４）を有する方法の性能を向上させるために、送信信号の中心に当たる周波数での相殺、または受信信号の中心が送信周波数と重畳する周波数での相殺を実施することができる。例えば、受信周波数の中心に送信ノッチを配置し、送信信号の中心で相殺することにより、使用されるアンテナを１つだけにすることができる。この機能向上は、図１の適応相殺ステージ３４を使用する。しかし、送信信号の中心でのノッチは、送信信号品質を劣化しやすく、しかしいくつかの送信規格は、そのような劣化を許すことに留意されたい。
【００２１】
図４に示される流れ図を参照すると、ブロック６０が、ノッチを有する広帯域信号を送信する送信機Ｔｘを示す。ブロック６２が、狭帯域信号を受信する受信機Ｒｘを示す。ブロック６４が、受信チャネルを監視する監視ステージ４２（図１）を表す。ブロック６６は、上で言及した特性（ａ）〜（ｃ）の１つまたは複数が当てはまるかどうかを判定することに関係する。ブロック６８で、ノッチが修正を必要とするかどうかを調べるために検査が行われる。返答が肯定（Ｙ）である場合、次いでブロック７０で、ノッチの深さおよび／または帯域幅を変更するという決定がなされる。ブロック７２で、必要に応じて、送信スペクトル内のノッチ５４が変更される。ブロック７４で、変更されたノッチを有する送信周波数スペクトルが許容可能であるか検査が行われ、許容可能である場合（Ｙ）には、流れ図のこの部分での最終ステージが、受信機周波数スペクトルが許容可能であるか検査し（ブロック７６）、許容可能である場合（Ｙ）には、流れ図は、ブロック６２の入力に戻る。
【００２２】
ブロック６８、７４、または７６の少なくとも１つからの否定の応答（Ｎ）の場合には、流れ図は、ブロック６６の入力に戻る。
【００２３】
ブロック７８、８０、ならびに８４〜８８は、それぞれ、受信信号における送信信号の中心周波数の相殺、および受信信号の中心周波数での送信信号の相殺に関係する。ブロック７８は、送信機中心周波数が受信信号スペクトル内で相殺されるべきかを検査することに関係し、送信機中心周波数が相殺されるべきである場合（Ｙ）には、ブロック８０が、受信周波数スペクトルからの送信中心周波数の相殺に関係する。このブロック８０の後、流れ図、およびブロック７８からの否定の出力（Ｎ）は、ブロック７６に進む。
【００２４】
ブロック８４は、受信中心周波数での送信信号が相殺されるべきかを検査することに関係し、送信信号が相殺されるべきである場合（Ｙ）には、ブロック８６が、受信中心周波数を求めることに関係する。ブロック８８は、送信周波数スペクトルからの、受信中心周波数での送信信号の部分の相殺に関係する。このブロック８８の後、流れ図、およびブロック８４からの否定の出力（Ｎ）は、ブロック７２に進む。
【００２５】
完全を期すために、図５〜７に、多くの状況で、送信信号の中心周波数での信号相殺が、それ単独では、所望の受信信号に対する望ましい保護を与えない理由を例示する。
【００２６】
図５は、アンテナ３０（図１）内への送信信号の結合部分５２と、所望の受信信号１２との周波数スペクトルを例示する。この例示では、どちらの信号スペクトルも、同じ周波数帯域の異なる部分に位置しており、受信信号１２の振幅は、結合部分５２の振幅よりもΔＡ１だけ小さく、結合部分５２の振幅は、ＬＮＡ３６（図１）を飽和するのに十分に大きく、両方の信号の歪をもたらす場合がある。図６は、適応周波数相殺ステージ３４によって生成される送信周波数の中心での相殺信号ＣＳを例示する。図７は、周波数相殺回路３２（図１）の出力を例示し、この出力は、送信信号の結合された後部５２の非相殺部分５２’と、所望の受信信号１２とを備える。しかし、非相殺部分５２’のピークは、受信信号１２のピーク値をΔＡ２だけ上回り、ＬＮＡ３６での受信信号の歪をもたらす可能性がある。
【００２７】
図８を参照すると、受信信号１２を保護するために、十分な幅および深さのノッチＮ１、Ｎ２が送信信号内に導入され、それにより、非相殺部分５２’（図７）のピークは上限を定められ、これらの上限を定められたピーク５２’’の最大振幅は、受信信号１２のピーク値よりもΔＡ３だけ小さくなる。したがって、送信周波数スペクトル内のノッチと周波数相殺との組合せによって、ＬＮＡ３６を飽和する危険を回避することにより、受信信号１２が保護されている。
【００２８】
図９は、可変の深さおよび帯域幅のノッチが、中心からの様々なオフセットで導入される際の、ＩＥＥＥ８０２．１１ｂ規格に従って送信される信号のエラーベクトル振幅（ＥＶＭ）のシミュレートされたグラフである。このグラフから、任意の特定の帯域幅でＥＶＭを大幅には劣化しないノッチを選択することが可能である。図９で、プラス記号（＋）は、必要とされる３００ｋＨｚのＦＦＴノッチ幅に関係し、クロス記号（Ｘ）は、必要とされる６００ｋＨｚのＦＦＴノッチ幅に関係し、アスタリスク（＊）は、必要とされる９００ｋＨｚのＦＦＴノッチ幅に関係する。
【００２９】
このグラフにおいて、参照番号９０で表される線は、０．３５のＩＥＥＥ８０２．１１ｂＥＶＭ仕様に関係し、参照番号９２、９３、９４で表される線は、それぞれ３００ｋＨｚ、６００ｋＨｚ、および９００ｋＨｚのノッチの−９ｄＢの減衰に関係し、線９６、９７、９８は、当該のノッチの−６ｄＢの減衰に関係し、線１００、１０１、１０２は、当該のノッチの−３ｄＢの減衰に関係し、線１０４は、９００ｋＨｚのノッチの０ｄＢの減衰に関係する。
【００３０】
ＩＥＥＥ８０２．１１ｂ帯域の中心に対する周波数オフセットに関してノッチ深さを決定するための簡略化されたアルゴリズムを以下で表に示す。簡略化として、９００ｋＨｚがほぼＢｌｕｅｔｏｏｔｈ（商標）信号の帯域幅であるので、ノッチ帯域幅が９００ｋＨｚで保たれ、しかし、本発明による方法は、周波数オフセットの変化と共にノッチ幅ならびにノッチ深さを変えることを企図していることを理解されたい。
【表１】
2006526911.tif 000003
【００３１】
これらのノッチ深さ値は、Ｂｌｕｅｔｏｏｔｈ（登録商標）に関する仕様が０．３５であるので、ＥＶＭを０．３よりも悪くしないように選択されている。
【００３２】
信号強度（ＲＳＳＩ）の差が＞２０ｄＢ（Ｂｌｕｅｔｏｏｔｈ（商標）＞ＩＥＥＥ８０２．１１ｂ）である場合、ノッチは使用されない。さらなる改良は、信号強度の差が、２０ｄＢよりもいくらか小さい値よりも大きく、かつオフセットが＞０である場合に、ノッチを使用しないことである。
【００３３】
この簡略化されたアルゴリズムを使用して、性能（ビット誤り率および感度）の改良が、図１０に示されるようにシミュレートされる。図１０で、横座標は、ｄＢｍ単位でＢｌｕｅｔｏｏｔｈ（商標）信号パワーを表し、縦座標は、ノッチを有するＩＥＥＥ８０２．１１ｂの存在時の、Ｂｌｕｅｔｏｏｔｈ（商標）の受信に関するビット誤り率を表す。プラス記号（＋）は、ノッチを使用していることを表し、クロス記号（Ｘ）は、ノッチを使用していないことを表す。線１０６、１０７は、２ＭＨｚのオフセット周波数を表し、線１０８、１０９は、４ＭＨｚのオフセット周波数を表し、線１１０、１１１は、６ＭＨｚのオフセット周波数を表し、線１１２、１１３は、８ＭＨｚのオフセット周波数を表す。
【００３４】
本発明を、ＩＥＥＥ８０２．１１ｂおよびＢｌｕｅｔｏｏｔｈ（商標）システムを使用して行われる同時送信および受信で使用するためのマルチモード、またはより具体的にはデュアル・モードトランシーバに関連して説明してきたが、本発明は、システムの１つがシステムの別のものよりも実質的に広い帯域幅を有し、真の同時受信および送信が望まれる他のシステムの組合せ、例えばＩＥＥＥ８０２．１５．３（Ｗｉ−Ｍｅｄｉａ）とＺｉｇｂｅｅ（ＩＥＥＥ８０２．１５．４）との組合せで使用することもできる。
【００３５】
本明細書および特許請求の範囲において、要素に先立つ単語「１つの」は、複数のそのような要素の存在を除外しない。さらに、用語「備える」は、列挙したもの以外の要素またはステップの存在を除外しない。
【００３６】
本開示を読めば、当業者には他の修正が明らかになろう。そのような修正は、マルチモードトランシーバおよびそのための構成要素部品の設計、製造、および使用で既に知られている他の特徴を含む場合があり、それらの特徴は、本明細書で既に説明した特徴の代わりに、またはそれらに追加して使用される場合がある。
【００３７】
特許請求の範囲内の参照符号は、単に例示のものであり、限定することを意図されてはいない。
【図面の簡単な説明】
【００３８】
【図１】簡略化された構成可能なデュアル・モードトランシーバのブロック概略図である。
【図２】送信信号の周波数スペクトルの図である。
【図３】受信信号の周波数スペクトルの図である。
【図４】本発明の実施に関係する流れ図である。
【図５】ノッチを設けていない送信信号スペクトルの結合部分、および非重畳受信信号スペクトルの一例を例示するグラフである。
【図６】送信信号スペクトルの中心での相殺信号を例示するグラフである。
【図７】図５に示される信号スペクトルに対して、図６に示される相殺信号を使用する効果を例示するグラフである。
【図８】図５に示される信号スペクトルに対する、送信信号スペクトル内のノッチおよび信号相殺の効果を例示するグラフである。
【図９】ノッチ帯域幅および深さ、ならびに送信機周波数スペクトルの中心からのオフセットの関数として、ＩＥＥＥ８０２．１１ｂ規格の送信エラーベクトル振幅（ＥＶＭ）のシミュレーション結果を示すグラフである。
【図１０】Ｂｌｕｅｔｏｏｔｈ（登録商標）に準拠する信号の同時受信を容易にするために、ＩＥＥＥ８０２．１１ｂ規格に従って送信される信号の送信周波数スペクトル内にノッチを設けるシミュレーション結果を示すグラフである。
【図１】
2006526911.tif 000004
【図２】
2006526911.tif 000005
【図３】
2006526911.tif 000006
【図４】
2006526911.tif 000007
【図５】
2006526911.tif 000008
【図６】
2006526911.tif 000009
【図７】
2006526911.tif 000010
【図８】
2006526911.tif 000011
【図９】
2006526911.tif 000012
【図１０】
2006526911.tif 000013
【国際調査報告】
2006526911.tif 000014
2006526911.tif 000015